(57)【要約】【課題】作業効率および衛生面や安全性の問題を極力解消しながらも、顧客に魅力的なコンテンツを提供することが可能となるコンテンツ提供方法を提供する。【解決手段】サーバーを用いて、音声および画像の少なくとも一方のデータを含むコンテンツを顧客へ提供する方法であって、前記顧客のＩＤ情報を取得するとともに、録音および撮影の少なくとも一方を行って前記コンテンツを取得し、当該ＩＤ情報と当該コンテンツを関連付けて前記サーバーに記録する情報取得ステップと、前記サーバーに記録されたコンテンツを、当該コンテンツに関連付けられた前記ＩＤ情報によって特定される送信先へ送信するコンテンツ送信ステップと、を含むコンテンツ提供方法とする。【選択図】図３
2019079145.tif 000002
【特許請求の範囲】
【請求項１】
サーバーを用いて、音声および画像の少なくとも一方のデータを含むコンテンツを顧客へ提供する方法であって、
前記顧客のＩＤ情報を取得するとともに、録音および撮影の少なくとも一方を行って前記コンテンツを取得し、当該ＩＤ情報と当該コンテンツを関連付けて前記サーバーに記録する情報取得ステップと、
前記サーバーに記録されたコンテンツを、当該コンテンツに関連付けられた前記ＩＤ情報によって特定される送信先へ送信するコンテンツ送信ステップと、
を含むことを特徴とするコンテンツ提供方法。
【請求項２】
前記情報取得ステップは、
読取装置を用いて、前記顧客が所持する端末装置に表示された前記ＩＤ情報の表示を読取ることにより、前記ＩＤ情報を取得することを特徴とする請求項１に記載のコンテンツ提供方法。
【請求項３】
前記情報取得ステップは、
前記顧客によって前記ＩＤ情報の表示が前記読取装置へ向けられることで前記ＩＤ情報を取得するとともに、当該顧客に直接聞こえる人の声の録音により前記コンテンツを取得することを特徴とする請求項２に記載のコンテンツ提供方法。
【請求項４】
前記人の声は、前記顧客が希望するセリフを読み上げる声であることを特徴とする請求項３に記載のコンテンツ提供方法。
【請求項５】
前記送信先は、前記端末装置であることを特徴とする請求項２から請求項４の何れかに記載のコンテンツ提供方法。
【請求項６】
請求項２から請求項５の何れかに記載のコンテンツ提供方法に用いられるコンテンツ提供システムであって、
前記サーバーと、
前記端末装置に表示された前記ＩＤ情報の表示を読取る読取装置と、を備えたことを特徴とするコンテンツ提供システム。
【請求項７】
請求項３または請求項４に記載のコンテンツ提供方法に用いられるコンテンツ提供システムであって、
前記サーバーと、
前記端末装置に表示された前記ＩＤ情報の表示を読取る読取装置と、
前記録音を行う録音装置と、を備えたことを特徴とするコンテンツ提供システム。
【発明の詳細な説明】
【技術分野】
【０００１】
本発明は、顧客に音声データ等のコンテンツを提供するコンテンツ提供方法、およびコンテンツ提供システムに関する。
【背景技術】
【０００２】
近年、若い女性のアイドル等（本願では単に「アイドル」と称する）の営業活動が多様化してきており、例えば非特許文献１に示されるように、ファン（イベント主催者側にとっては、顧客と見ることも出来る）がアイドルに直接会えたり握手ができたりするイベントも各地で開催されている。このような内容のイベントはファンにとって魅力的であり、ファンを大いに満足させ得るだけでなく、入場料やグッズ等の売り上げにも大きく貢献する。
【０００３】
また特許文献１（特に段落０１０３〜０１０４を参照）には、イベント会場でのファンへのサービスに役立つデータ配信システムが開示されている。当該データ配信システムによれば、展示会やコンサート等のイベント会場において、入場者が所持する端末装置にアイドルの動画等を配信することが出来るとされている。
【先行技術文献】
【特許文献】
【０００４】
【特許文献１】特開2013-207496号公報
【非特許文献】
【０００５】
【非特許文献１】“乃木坂46＆欅坂46「握手会」の仕組み完全解説まとめ”（http://gurunogi.tokyo/20150316-akusyukaimatome/）
【発明の概要】
【発明が解決しようとする課題】
【０００６】
ファンにとって、アイドルの声や画像を含むコンテンツのデータ（本願では単に「コンテンツ」と称する）は魅力的であり、このようなコンテンツをファンに提供することは、ファンを魅了する上で効果的である。
【０００７】
特にファンとアイドルが直接出会えるイベント会場等において、例えば個々のファンの要望に応じてその場でアイドルの声を録音し、その音声データをそのファンへ提供するようにすれば、ファンにとってはこの上なく魅力的なサービスとなり、イベントの集客力を大きく向上させることが出来る。
【０００８】
但しアイドルの声などを、数多くのファンそれぞれが所持する各端末装置（スマートフォン等）にその場でいちいち入力することは、作業効率が悪くファンの待ち時間が増える要因となる。また更に、アイドルやイベントのサービス担当者等が多数の端末装置に触れる状況となり易く、衛生面や安全性の観点からも好ましいとは言えない。
【０００９】
本発明は上記の事情に鑑み、作業効率および衛生面や安全性の問題を極力解消しながらも、顧客に魅力的なコンテンツを提供することが可能となるコンテンツ提供方法、および当該方法の実施に役立つコンテンツ提供システムの提供を目的とする。
【課題を解決するための手段】
【００１０】
本発明に係るコンテンツ提供方法は、サーバーを用いて、音声および画像の少なくとも一方のデータを含むコンテンツを顧客へ提供する方法であって、前記顧客のＩＤ情報を取得するとともに、録音および撮影の少なくとも一方を行って前記コンテンツを取得し、当該ＩＤ情報と当該コンテンツを関連付けて前記サーバーに記録する情報取得ステップと、前記サーバーに記録されたコンテンツを、当該コンテンツに関連付けられた前記ＩＤ情報によって特定される送信先へ送信するコンテンツ送信ステップと、を含む方法とする。
【００１１】
本方法によれば、作業効率および衛生面や安全性の問題を極力解消しながらも、顧客に魅力的なコンテンツを提供することが可能となる。なお顧客の「ＩＤ情報」は、その顧客を他の顧客から識別できるものである限り、具体的形態は特に限定されない。なお本願における「画像」は、静止画に限られず動画をも含む概念である。
【００１２】
また上記方法としてより具体的には、前記情報取得ステップは、読取装置を用いて、前記顧客が所持する端末装置に表示された前記ＩＤ情報の表示を読取ることにより、前記ＩＤ情報を取得する方法としてもよい。本方法によれば、顧客の端末装置を利用してＩＤ情報の取得を効率良く行うことが可能となる。
【００１３】
また上記方法としてより具体的には、前記情報取得ステップは、前記顧客によって前記ＩＤ情報の表示が前記読取装置へ向けられることで前記ＩＤ情報を取得するとともに、当該顧客に直接聞こえる人の声の録音により前記コンテンツを取得する方法としてもよい。本方法によれば、運営スタッフ等が顧客の端末機器に殆ど触れずに済むとともに、顧客は録音される生の声を直接聞くことができるため、非常に魅力的サービスを顧客へ提供することが可能となる。
【００１４】
また上記方法としてより具体的には、前記人の声は、前記顧客が希望するセリフを読み上げる声である方法としてもよい。本方法によれば、顧客にとってより一層魅力的なサービスを提供することが可能となる。また上記方法としてより具体的には、前記送信先は、前記端末装置である方法としてもよい。
【００１５】
また本発明に係るコンテンツ提供システムは、上記コンテンツ提供方法に用いられるコンテンツ提供システムであって、前記サーバーと、前記端末装置に表示された前記ＩＤ情報の表示を読取る読取装置と、を備えた構成とする。本構成によれば、本発明に係るコンテンツ提供方法の実施に役立てることが可能となる。
【００１６】
また本発明に係るコンテンツ提供システムは、上記コンテンツ提供方法に用いられるコンテンツ提供システムであって、前記サーバーと、前記端末装置に表示された前記ＩＤ情報の表示を読取る読取装置と、前記録音を行う録音装置と、を備えた構成とする。本構成によれば、本発明に係るコンテンツ提供方法の実施に役立てることが可能となる。
【発明の効果】
【００１７】
本発明に係るコンテンツ提供方法によれば、作業効率および衛生面や安全性の問題を極力解消しながらも、顧客に魅力的なコンテンツを提供することが可能となる。また本発明に係るコンテンツ提供システムによれば、本発明に係るコンテンツ提供方法の実施に役立てることが可能となる。
【図面の簡単な説明】
【００１８】
【図１】本実施形態に係るコンテンツ提供方法に関わる装置群の概略的な構成図である。
【図２】顧客データベースに関する説明図である。
【図３】本実施形態における顧客へコンテンツを提供する手順のフローチャートである。
【発明を実施するための形態】
【００１９】
以下、本発明の実施形態について各図面を参照しながら説明する。図１は、本実施形態に係るコンテンツ提供方法に関わる装置群の概略的な構成図である。本図に示すように当該装置群には、コンテンツの提供者側が管理するコンテンツ提供システム１と、各顧客（主として、アイドルのファンが想定される）側が所持する端末装置２が含まれる。
【００２０】
コンテンツ提供システム１は、ＩＤ情報読取装置１１、録音装置１２、および情報サーバー１３を有し、顧客への音声データ（本発明に係るコンテンツの一形態）の提供に用いられる。なお、コンテンツ提供システム１に含まれる各装置は、全部又は一部が一体化されていてもよい。
【００２１】
ＩＤ情報読取装置１１は、カメラ等を備えており、端末装置２に表示された顧客ＩＤを読取って、その顧客ＩＤを情報サーバー１３へ送る。なお本実施形態では一例として、端末装置２に表示される顧客ＩＤはＱＲコード（登録商標、以下同様。）の表示形態とされているが、ＩＤ情報読取装置１１によって読取可能である限り、他の表示形態とされていても良い。ＩＤ情報読取装置１１はアイドルが参加するイベントの会場（以下、「イベント会場」と称する）に設置され、そこに来場した顧客の端末装置２から、当該顧客の顧客ＩＤを読取ることができる。
【００２２】
録音装置１２は、マイクロホン等を備えており、録音された声（本実施形態ではアイドルの声）の音声データを情報サーバー１３へ送る。録音装置１２はイベント会場に設置され、そこに参加しているアイドルがその場で発する声を、直接録音することができる。
【００２３】
情報サーバー１３は、ＩＤ情報読取装置１１から受けた顧客ＩＤと録音装置１２から受けた音声データとを関連付けて記録する。なお情報サーバー１３は、ＩＤ情報読取装置１１や録音装置１２とともにイベント会場に設置されても良く、いわゆるクラウドとして機能するように他の場所に設置されても良い。クラウドとして機能するようにした情報サーバー１３は、複数のイベント会場それぞれに設置される装置（ＩＤ情報読取装置１１や録音装置１２）との通信が可能とされる。情報サーバー１３がＩＤ情報読取装置１１や録音装置１２から離れた場所に設置される場合は、例えば、顧客ＩＤと音声データを関連付けて一時的に記録する中継装置をイベント会場に設けておき、当該中継装置から情報サーバー１３へこれらの情報が送信されるようにしても良い。
【００２４】
また情報サーバー１３には、図２に例示するように、顧客に関するデータベース（顧客データベース）が記録されている。図２に示す例では、顧客ごとの「顧客ＩＤ」、「送信先情報」、「氏名」、および「住所」などの各情報が記録されている。なお「顧客ＩＤ」は顧客ごとに異なる内容となっており、対象の顧客を他の顧客から識別可能とする情報である。また「送信先情報」は、コンテンツ等の各種データを対象の顧客宛てに送信する（本実施形態では、当該顧客が所持する端末装置２へ送信する）ためのアドレス等の情報である。顧客データベースは、後述する各手順（図３を参照）が行われる前に、予め情報サーバー１３に記録されている。
【００２５】
端末装置２は、イベント会場へ来る顧客が容易に持ち運べる携帯型の情報端末装置であり、例えばスマートフォン或いはタブレット型コンピュータである。複数の顧客それぞれは自分の端末装置２を所有しており、自分の端末装置２を所持してイベント会場へ来場することになる。端末装置２には、後述する各手順（図３を参照）が行われる前に、予め顧客ＩＤが格納されているとともに、情報サーバー１３からコンテンツを受取ったり、受取り済みのコンテンツを再生したりするためのアプリケーションソフトウェア（以下、「アプリ」と略記する）がインストールされている。
【００２６】
なおこのアプリは、情報サーバー１３から端末装置２へダウンロード可能となっていても良い。例えば顧客は、自分の端末装置２にアプリをインストールしたいときに端末装置２を操作し、情報サーバー１３へアプリ送信を要求することができる。これを受けて情報サーバー１３は要求元の端末装置２へアプリを送信することになり、当該端末装置２におけるアプリのインストールが可能となる。
【００２７】
また情報サーバー１３は、端末装置２へアプリを送信するとともに、顧客ＩＤを送信するようにしても良い。この場合に情報サーバー１３は、既に他の端末装置２（別の顧客が所有する端末装置２）へ送信済みの顧客ＩＤと内容が重複しないように顧客ＩＤを選定し、この顧客ＩＤを送信することになる。これにより、その端末装置２を所有する顧客に対して顧客ＩＤが割り当てられ、この端末装置２に当該顧客ＩＤが格納される。
【００２８】
また更に、顧客はアプリを利用して、顧客ＩＤとともに自身の「送信先情報」、「氏名」、および「住所」などの各情報を情報サーバー１３へ送信できるようになっていても良い。これにより情報サーバー１３は、これらの各情報を、顧客ＩＤに関連付けて顧客データベースへ追加記録することが可能である。但し、顧客ＩＤを端末装置２に取得させる手段、および顧客データベースに記録すべき各情報を情報サーバー１３に取得させる手段については、特に限定されるものではない。
【００２９】
次に、本実施形態における顧客へコンテンツを提供する手順について、図３に示すフローチャートを参照しながら説明する。なお下記のステップＳ１の手順がなされる際、アイドルおよびサービス担当者がイベント会場内の販売ブースで待機しており、顧客は自分の端末装置２を所持してその販売ブースに来ている状況である。また、ＩＤ情報読取装置１１と録音装置１２も当該販売ブースに設置されている。
【００３０】
まず、端末装置２に表示された顧客ＩＤの読取りが行われる（ステップＳ１）。より具体的に説明すると、顧客はサービス担当者の指示に従って、自分の端末装置２を操作して顧客ＩＤのＱＲコードを表示させ、この表示部分をＩＤ情報読取装置１１のカメラに向ける。これにより、当該顧客の顧客ＩＤがＩＤ情報読取装置１１に読取られる。
【００３１】
次に、顧客が希望するセリフの受付およびチェックが行われる（ステップＳ２）。より具体的に説明すると、サービス担当者から顧客へ用紙が渡され、顧客はこの用紙に希望のセリフを記入する。当該用紙は、イベント会場の入口で来場者へ渡されるようにしても良い。
【００３２】
そしてサービス担当者は、用紙へ記入されたセリフに対して問題が無いか（例えば、セリフ中に禁止用語が含まれていないか等）のチェック（顧客が希望したセリフの検閲）を行う。もし問題があれば、サービス担当者は、禁止用語の削除や別のセリフへの変更などを顧客に要求する。またここでサービス担当者は、提供するコンテンツに対する代金を顧客から受取る。
【００３３】
次に、アイドルが発声するセリフの録音が行われる（ステップＳ３）。より具体的に説明すると、その場に居るアイドルは録音装置１２のマイクロホンに向かって、上記用紙に記入されたセリフを読み上げる。これにより、顧客が希望するセリフ通りのアイドルの声が録音され、その音声データが得られる。なおこの際、アイドルと顧客は同じ場（本例では同じ販売ブース）に居る状況であり、顧客は、アイドルの録音される生の声を直接聞くことができる。
【００３４】
上記ステップＳ１およびＳ３の手順で得られた顧客ＩＤと音声データは、互いに関連付けられて情報サーバー１３へ記録される（ステップＳ４）。その後、情報サーバー１３は、記録された音声データをコンテンツとして顧客へ（つまり、顧客が所持する端末装置２へ）送信する（ステップＳ５）。より具体的に説明すると、情報サーバー１３は、顧客データベース（図２を参照）に基づいて、当該音声データに関連付けられている顧客ＩＤに対応した送信先情報を特定する。そして情報サーバー１３は、この特定された送信先情報に基づいて、当該音声データ（アイドルの声）をコンテンツとして送信する。
【００３５】
なおコンテンツの送信は、情報サーバー１３が無条件で自動的に行うようにしても良いが、顧客側からの送信要求に応じて行われるようにしても良い。またその他、取り急ぎ情報サーバー１３から送信準備が完了した旨の通知が端末装置２へ送信されるようにし、これを確認した顧客から送信要求があった場合に、情報サーバー１３から端末装置２へコンテンツが送信されるようにしても良い。
【００３６】
このようにして送信されたコンテンツは端末装置２によって受信され、その端末装置２内に格納される。その後に顧客は、自分の端末装置２に格納されたコンテンツをアプリを用いて再生させ、自由に楽しむことができる。なお、端末装置２内に複数のコンテンツが格納されている場合は、各コンテンツの一覧が表示されるようにし、顧客に任意選択されたコンテンツが再生されるようにしても良い。
【００３７】
また本実施形態では、ステップＳ１の手順が実行される際に顧客ＩＤ（ＱＲコード）を表示する役割と、情報サーバー１３からコンテンツを受取る役割とが、一つの装置（顧客の端末装置２）によって果たされているが、これらの役割が別個の装置によって果たされるようにしても良い。
【００３８】
例えば、顧客が２台の端末装置を所有する場合、一方の端末装置が顧客ＩＤ（ＱＲコード）を表示するようにしながらも、情報サーバー１３から送信されるコンテンツは、他方の端末装置が受取るようにしても良い。また、顧客ＩＤと送信先情報が共通となっていても良い。一例としては、顧客個人のメールアドレス（送信先情報の一形態）を顧客ＩＤとして利用しても良い。
【００３９】
以上に説明したとおり、本実施形態に係るコンテンツ提供方法は、情報サーバー１３を用いて、音声データ（コンテンツ）を顧客へ提供する方法であって、当該顧客の顧客ＩＤを取得するとともに、録音を行って当該音声データを取得し、これら顧客ＩＤと音声データを関連付けて情報サーバー１３に記録する情報取得ステップ（ステップＳ１〜Ｓ４を参照）と、情報サーバー１３に記録された音声データを、当該音声データに関連付けられた顧客ＩＤによって特定される送信先へ送信するコンテンツ送信ステップ（ステップＳ５を参照）と、を含む。
【００４０】
そのため当該コンテンツ提供方法によれば、作業効率および衛生面や安全性の問題を極力解消しながらも、顧客に魅力的なコンテンツを提供することが可能となっている。なお本実施形態では、コンテンツとして音声データを採用しているが、その代わりに画像（例えば、アイドルの静止画または動画）のデータを採用しても良く、音声および画像の両方を含むデータを採用しても良い。
【００４１】
アイドルの声を数多くの顧客それぞれが所持する端末装置２に直接入力することは、作業効率が悪く顧客の待ち時間が増える要因となってしまう。しかし本実施形態では、情報サーバー１３を介してコンテンツを提供するようになっており、例えば各顧客の端末装置２をその場で操作して録音可能な状態にする等の必要は無く、作業効率の向上によって顧客の待ち時間を極力減らすことが可能である。また更に本実施形態では、イベントのサービス担当者等が顧客の端末機器２に極力触れなくても済むため、衛生面や安全性の観点からも好ましい。なお、本実施形態では顧客のＩＤ情報の取得やコンテンツの取得はイベント会場において行われるが、これらの取得がどこで行われるかは特に限定されるものではなく、他の場所で行われるようにしても良い。またこれらは、イベント以外の状況下において行われるようにしても構わない。
【００４２】
また本実施形態における前記情報取得ステップは、顧客が所持する端末装置２に表示されたＱＲコード（顧客ＩＤの表示）を読取ることにより、顧客ＩＤを取得するようになっている。そのため、顧客の端末装置２を利用して顧客ＩＤの取得を効率良く行うことが可能となっている。
【００４３】
また本実施形態における前記情報取得ステップは、顧客によって前記表示情報がＩＤ情報読取装置１１へ向けられることで顧客ＩＤを取得するとともに、当該顧客に直接聞こえる人（本実施形態の例ではアイドル）の声の録音により音声データを取得するようになっている。そのため、イベントのサービス担当者等が顧客の端末機器２に殆ど触れずに済むとともに、顧客は録音される生の声を直接聞くことができるため、非常に魅力的なサービスを顧客へ提供することが可能である。なお、本実施形態ではアイドルの声を録音するようにしているが、どのような人の声が録音されるかは特に限定されるものではなく、例えば声優（いわゆるアニメキャラクターの声の担当者等）や歌手などの声が録音されるようにしても良い。
【００４４】
また本実施形態における前記人の声は、顧客が希望するセリフを読み上げる声となっているため、顧客にとってより一層魅力的なサービスを提供することが可能となっている。
【００４５】
また本実施形態に係るコンテンツ提供システム１は、本実施形態に係るコンテンツ提供方法に用いられるものであって、情報サーバー１３と、端末装置２に表示された顧客ＩＤの表示を読取るＩＤ情報読取装置１１と、録音を行う録音装置１２と、を備えた構成となっており、当該コンテンツ提供方法の実施に役立てることが可能となっている。
【００４６】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００４７】
本発明は、音声データ等のコンテンツを提供する方法やシステムに利用可能である。
【符号の説明】
【００４８】
１        コンテンツ提供システム
１１      ＩＤ情報読取装置
１２      録音装置
１３      情報サーバー
２        端末装置
【図１】
2019079145.tif 000003
【図２】
2019079145.tif 000004
【図３】
2019079145.tif 000005